(57)【特許請求の範囲】
【請求項１】
画像データに応じたトナー像を用紙に転写する画像形成部と、
熱源からの熱によって前記トナー像を前記用紙に定着させる定着部と、
前記画像形成部の画像形成を制御すると共に前記定着部の定着温度を制御する制御部と、
仕様内の用紙に対する定着温度である第１定着温度の温度範囲が下限値と上限値とを含み、前記上限値より高温の定着温度である第２定着温度を前記定着温度とする設定を受け付ける受付部と、
を備え、
前記制御部は、前記受付部が前記第２定着温度の設定を受け付けた場合に、前記第２定着温度での定着を一定の条件下で実行する、
ことを特徴とする画像形成装置。
【請求項２】
設定の入力を受け付けると共に各種情報表示を行う操作表示部を備え、
前記制御部は、前記操作表示部を介して前記第２定着温度の設定を受け付ける際に、前記操作表示部において前記第２定着温度により生じる影響を表示する、
ことを特徴とする請求項１に記載の画像形成装置。
【請求項３】
画像データに応じたトナー像を用紙に転写する画像形成部と、
熱源からの熱によって前記トナー像を前記用紙に定着させる定着部と、
前記画像形成部の画像形成を制御すると共に前記定着部の定着温度を制御する制御部と、
設定の入力を受け付けると共に各種情報表示を行う操作表示部と、
を備え、
前記制御部は、前記定着部に対して設定されている、仕様内の用紙に対する定着温度である第１定着温度の温度範囲が下限値と上限値とを含み、前記上限値より高温の定着温度である第２定着温度での定着を一定の条件下で実行し、
前記操作表示部を介して前記第２定着温度の設定を受け付ける際に、前記操作表示部において前記第２定着温度により生じる影響を表示する、
ことを特徴とする画像形成装置。
【請求項４】
設定の入力を受け付けると共に各種情報表示を行う操作表示部を備え、
前記制御部は、
前記第２定着温度の定着が終了した後の画像形成の設定を受け付ける際、又は、前記第２定着温度の定着が終了した後に実行される画像形成の際に、それまで第２定着温度による定着が行われていたことを前記操作表示部に表示する、
ことを特徴とする請求項１−３のいずれか一項に記載の画像形成装置。
【請求項５】
画像データに応じたトナー像を用紙に転写する画像形成部と、
熱源からの熱によって前記トナー像を前記用紙に定着させる定着部と、
前記画像形成部の画像形成を制御すると共に前記定着部の定着温度を制御する制御部と、
設定の入力を受け付けると共に各種情報表示を行う操作表示部と、
を備え、
前記制御部は、前記定着部に対して設定されている、仕様内の用紙に対する定着温度である第１定着温度の温度範囲が下限値と上限値とを含み、前記上限値より高温の定着温度である第２定着温度での定着を一定の条件下で実行し、
前記第２定着温度の定着が終了した後の画像形成の設定を受け付ける際、又は、前記第２定着温度の定着が終了した後に実行される画像形成の際に、それまで前記第２定着温度による定着が行われていたことを前記操作表示部に表示する、
ことを特徴とする画像形成装置。
【請求項６】
前記制御部は、前記一定の条件として、画像形成される前記用紙の枚数若しくは画像形成される時間のいずれかが予め定められた条件を超えた場合に、前記第２定着温度の設定を解除する、
ことを特徴とする請求項１−５のいずれか一項に記載の画像形成装置。
【請求項７】
前記制御部は、前記定着部内の機内温度が予め定められた所定の値以上である場合には、前記第２定着温度による定着を開始しない、
ことを特徴とする請求項１−６のいずれか一項に記載の画像形成装置。
【請求項８】
前記制御部は、前記第２定着温度による定着が終了してから所定時間が経過するまでは、次の第２定着温度による定着を実行しない、
ことを特徴とする請求項１−７のいずれか一項に記載の画像形成装置。
【請求項９】
前記制御部は、前記第２定着温度が、画像形成装置に起因する定着上限温度、もしくは用紙に起因する定着上限温度を超えるか否かを判断し、
前記画像形成装置に起因する定着上限温度、もしくは前記用紙に起因する定着上限温度を前記第２定着温度が超えない場合における前記一定の条件としての、少なくとも画像形成時間や画像形成枚数は、前記画像形成装置に起因する定着上限温度、もしくは前記用紙に起因する定着上限温度を前記第２定着温度が超える場合よりも、緩い制限であることを特徴とする請求項１−８のいずれか一項に記載の画像形成装置。
【発明の詳細な説明】
【技術分野】
【０００１】
本発明は、電子写真方式によって用紙上に形成されたトナー像を熱により定着させる定着部を有する画像形成装置における定着動作の改良に関する。
【背景技術】
【０００２】
電子写真方式による画像形成装置では、回転する感光体ドラムや感光体ベルトの像担持体上にトナー像を形成し、形成されたトナー像を直接或いは間接に用紙上に転写し、さらにトナー像を用紙上に定着させて画像を形成することが行われている。
【０００３】
この画像形成にあたっては、用紙上に静電的に転写されたトナー像を、定着ローラによる熱と圧力とによって用紙上に安定した状態で定着させるようにしている。
【０００４】
また、この定着では想定される用紙の種類に応じて安定した定着が行えるように、予め設定された温度範囲で定着ローラを加熱するように制御している。
【０００５】
なお、この種の定着装置を備えた画像形成装置については、以下の特許文献１などに提案がなされている。
【先行技術文献】
【特許文献】
【０００６】
【特許文献１】特開２００６−６４９１９号公報
【発明の概要】
【発明が解決しようとする課題】
【０００７】
以上の特許文献１では、予め設定された定着温度の範囲内で、（低い定着温度）／（高い定着温度）の２段階に分ける。そして、生産性を優先する場合には低い定着温度に達したら画像の出力を開始可能に制御する。一方、画像品質を優先する場合には高い定着温度に達してから画像の出力を開始可能に制御する。このようにすることで、一定の幅を有する定着温度の範囲内において、生産性と品質とを両立させるものである。
【０００８】
なお、画像形成装置では、使用が想定される各種の用紙（仕様内の用紙）に対して安定して長時間の画像形成を実行しても問題の無いように定着温度の範囲が定められている。
【０００９】
しかし、想定の範囲外の厚み、表面加工状態、塗工状態といった仕様外の用紙が使用されることで、定着が十分に行われないこともある。例えば、想定外の厚みや表面加工状態などになっている用紙の場合、定着ローラの熱が用紙表面のトナーに十分に伝わらず、定着が適正に行われない可能性がある。
【００１０】
しかし、このような場合には、従来の画像形成装置、あるいは、特許文献１記載の画像形成装置でも、対処することができないという問題があった。
【００１１】
本発明は、仕様外の用紙に対しても適切な定着をすることが可能な画像形成装置を提供することを目的とする。
【課題を解決するための手段】
【００１２】
上述した課題を解決する本願発明は、以下に述べる通りである。
【００１３】
この画像形成装置では、画像データに応じたトナー像を用紙に転写する画像形成部と、熱源からの熱によって前記トナー像を前記用紙に定着させる定着部と、前記定着部の温度を検知する温度センサと、前記画像形成部の画像形成を制御すると共に前記温度センサの検知結果に基づいて前記定着部の定着温度を制御する制御部と、仕様内の用紙に対する定着温度である第１定着温度の温度範囲が下限値と上限値とを含み、前記上限値より高温の定着温度である第２定着温度を前記定着温度とする設定を受け付ける受付部と、を備え、前記制御部は、前記受付部が前記第２定着温度の設定を受け付けた場合に、前記第２定着温度での定着を一定の条件下で実行する、ことを特徴とする。
また、この画像形成装置では、画像データに応じたトナー像を用紙に転写する画像形成部と、熱源からの熱によって前記トナー像を前記用紙に定着させる定着部と、前記画像形成部の画像形成を制御すると共に前記定着部の定着温度を制御する制御部と、設定の入力を受け付けると共に各種情報表示を行う操作表示部と、を備え、前記制御部は、前記定着部に対して設定されている、仕様内の用紙に対する定着温度である第１定着温度の温度範囲が下限値と上限値とを含み、前記上限値より高温の定着温度である第２定着温度での定着を一定の条件下で実行し、前記操作表示部を介して前記第２定着温度の設定を受け付ける際に、前記操作表示部において前記第２定着温度により生じる影響を表示する、ことを特徴とする。
また、この画像形成装置では、画像データに応じたトナー像を用紙に転写する画像形成部と、熱源からの熱によって前記トナー像を前記用紙に定着させる定着部と、前記画像形成部の画像形成を制御すると共に前記定着部の定着温度を制御する制御部と、設定の入力を受け付けると共に各種情報表示を行う操作表示部と、を備え、前記制御部は、前記定着部に対して設定されている、仕様内の用紙に対する定着温度である第１定着温度の温度範囲が下限値と上限値とを含み、前記上限値より高温の定着温度である第２定着温度での定着を一定の条件下で実行し、前記第２定着温度の定着が終了した後の画像形成の設定を受け付ける際、又は、前記第２定着温度の定着が終了した後に実行される画像形成の際に、それまで前記第２定着温度による定着が行われていたことを前記操作表示部に表示する、ことを特徴とする。
【００１４】
また、以上の画像形成装置において、前記制御部は、前記一定の条件として、画像形成される前記用紙の枚数若しくは画像形成される時間のいずれかが予め定められた条件を超えた場合に、前記第２定着温度の設定を解除する、ことを特徴とする。
【００１５】
また、以上の画像形成装置において、前記制御部は、前記定着部内の機内温度が予め定められた所定の値以上である場合には、前記第２定着温度による定着を開始しない、ことを特徴とする。
【００１６】
また、以上の画像形成装置において、前記制御部は、前記第２定着温度による定着が終了してから所定時間が経過するまでは、次の第２定着温度による定着を実行しない、ことを特徴とする。
【００１７】
また、以上の画像形成装置において、設定の入力を受け付けると共に各種情報表示を行う操作表示部を備え、前記制御部は、前記操作表示部を介して前記第２定着温度の設定を受け付ける際に、前記操作表示部において前記第２定着温度により生じる影響を表示する、ことを特徴とする。
【００１８】
また、以上の画像形成装置において、設定の入力を受け付けると共に各種情報表示を行う操作表示部を備え、前記制御部は、前記第２定着温度の定着が終了した後の画像形成の設定を受け付ける際、又は、前記第２定着温度の定着が終了した後に実行される画像形成の際に、それまで第２定着温度による定着が行われていたことを前記操作表示部に表示する、ことを特徴とする。
また、以上の画像形成装置において、前記制御部は、前記第２定着温度が、画像形成装置に起因する定着上限温度、もしくは用紙に起因する定着上限温度を超えるか否かを判断し、前記画像形成装置に起因する定着上限温度、もしくは前記用紙に起因する定着上限温度を前記第２定着温度が超えない場合における前記一定の条件としての、少なくとも画像形成時間や画像形成枚数は、前記画像形成装置に起因する定着上限温度、もしくは前記用紙に起因する定着上限温度を前記第２定着温度が超える場合よりも、緩い制限であることを特徴とする。
【発明の効果】
【００１９】
以上の発明によれば、以下のような効果を得ることができる。
【００２０】
この画像形成装置では、画像形成の際に熱源からの熱によってトナー像を用紙に定着させる際に、定着部に対して設定されている定着温度の上限より高温の定着温度である第２定着温度での定着を、一定の条件下で実行するため、想定の範囲外の厚み、表面加工状態、塗工状態といった仕様外の用紙が使用される場合に、仕様外の用紙に対しても適切な定着をすることが可能になる。
【００２１】
また、一定の条件として、画像形成される用紙の枚数若しくは画像形成される時間のいずれかが予め定められた条件を超えた場合に、第２定着温度の設定を解除するため、通常の定着温度の範囲を超える第２定着温度であっても、装置に悪影響を与えることがなく、安定した動作が可能になる。
【００２２】
また、制御部は、定着部内の機内温度が予め定められた所定の値以上である場合には、第２定着温度による定着を開始しないため、装置に悪影響を与えない状況において第２定着温度の動作が可能になる。
【００２３】
また、第２定着温度による定着が終了してから所定時間が経過するまでは、次の第２定着温度による定着を実行しないため、装置に悪影響を与えない状況において第２定着温度の動作が可能になる。
【００２４】
また、操作表示部を介して第２定着温度の設定を受け付ける際に、第２定着温度により生じる影響を表示するため、予想される影響を告知した状態で第２定着温度の動作が可能になる。
【００２５】
また、第２定着温度の定着が終了した後の画像形成の設定を受け付ける際、又は、第２定着温度の定着が終了した後に実行される画像形成の際に、それまで第２定着温度による定着が行われていたことを表示するため、予想される影響を告知した状態で第２定着温度の動作が可能になる。
【図面の簡単な説明】
【００２６】
【図１】本発明の実施形態の概略構成を示す構成図である。
【図２】本発明の実施形態の動作を示すフローチャートである。
【図３】本発明の実施形態における操作表示部の表示状態を示す説明図である。
【図４】本発明の実施形態における操作表示部の表示状態を示す説明図である。
【図５】本発明の実施形態における操作表示部の表示状態を示す説明図である。
【図６】本発明の実施形態における操作表示部の表示状態を示す説明図である。
【発明を実施するための形態】
【００２７】
以下、図面を参照して本発明の画像形成装置を実施するための形態（実施形態）を詳細に説明する。
【００２８】
〔構成〕
ここで、第一実施形態の電子写真方式の画像形成装置１００の構成を、図１に基づいて詳細に説明する。なお、画像形成装置１００として既知であって、本実施形態の特徴的な動作や制御に直接に関係しない一般的な部分についての説明は省略してある。
【００２９】
図１に示す画像形成装置１００は、各部を制御する制御部１０１と、操作者が各種操作入力を行うと共に各種表示を行う操作表示部１０５、ジョブデータや各種データを記憶する記憶部１１０、原稿を読み取って画像データを生成するスキャナ１２０、画像形成すべき画像データに所定の画像処理を施す画像処理部１３０、画像データに基づいて用紙上に画像を形成するプリントエンジン１４０、を備えて構成されている。
【００３０】
ここで、制御部１０１は、図示しないＣＰＵ（Central Processing Unit）、ＲＯＭ（Read Only Memory）、ＲＡＭ（Random Access Memory）等を備える。ここで、ＣＰＵは、ＲＡＭの所定領域をワークエリアとし、ＲＯＭに記憶されている各種プログラムを実行して、画像形成装置１００の各部を統括的に制御する。また、制御部１０１は、後述するように、フローチャートに示される第２定着温度に関する制御を実行する。
【００３１】
ここで、操作表示部１０５は、キーボード、マウス、タッチパネル等の入力デバイスを備え、入力される各種指示信号を制御部１０１に送信する。また、操作表示部１０５は、ＬＣＤ（Liquid Crystal Display）やＣＲＴ（Cathode Ray Tube）等の表示手段を備え、制御部１０１から入力される各種画像データを表示する。なお、この操作表示部は操作部と表示部が別であってもよいが、表示されたアイコン、キー、あるいはボタンを押下するタッチパネルが一般的であるため、以下の実施形態ではタッチパネル形式の操作表示部１０５であるとして説明を行う。
【００３２】
また、記憶部１１０は、データの書き込み、消去、読み出しが自在に行えるＨＤＤ（Hard Disc Drive）やフラッシュメモリ等の記憶装置であり、固定的に設けたものであってもよいし、また、着脱自在に設けたものであってもよい。この記憶部１１０は、登録済みの一又は複数のジョブを含むジョブデータ（処理済み、処理中のジョブや、未処理のジョブを含む。）を格納する。さらに、記憶部１１０は、部品交換時調整制御のため、各部品の交換日や、各部品の関連についての情報を記憶している。
【００３３】
プリントエンジン１４０は、電子写真方式などによって帯電〜露光（潜像形成）〜現像〜転写といったプロセスを経て画像データに応じたトナー像を用紙上に転写する画像形成部１４２と、用紙上に転写されたトナー像を定着ローラによる熱と圧力とによって用紙上に安定した状態で定着させる定着部１４４と、を備えて構成される。
【００３４】
ここで、定着部１４４内の定着ローラを加熱する熱源としては、ハロゲンヒータや、ＩＨヒータなど各種の熱源を用いることが可能である。また、定着部１４４の構造や定着の原理については周知のものであるため、詳細な説明は省略する。
【００３５】
なお、プリントエンジン１４０内の機内温度や定着部１４４内の機内温度、あるいは、定着部１４４内の定着ローラ等の温度は、図示されない温度センサにより検知され、検知結果は制御部１０１に通知される。
【００３６】
〔前提条件〕
以下、定着温度に関連して、本実施形態の前提条件を説明する。なお、ここで定着温度とは、定着部１４４内で定着を実行する部材である定着ローラの表面温度を意味している。
【００３７】
・装置に起因する定着上限温度Ｔmachine：
定着温度がＴmachineを超えると、定着部１４４の故障などの不具合が発生する場合がある。装置による固定値である。
【００３８】
・用紙に起因する定着上限温度Ｔpaper：
定着温度がＴpaperを超えると、用紙あるいは用紙上の画像に不具合が発生する場合がある。用紙の紙種により定まる。
【００３９】
・通常の定着温度（第１定着温度）Ｔ１：
使用が想定される各種の用紙（仕様内の用紙）に対して安定して長時間の画像形成を実行しても問題の無いように定められる、従来から一般的な通常の定着温度。定着温度Ｔ１の下限値はＴ１minであり、定着温度Ｔ１の上限値はＴ１maxである。なおＴ１maxは、Ｔmachine又はＴpaperのいずれか低い方を超えないように定められる。
【００４０】
・通常（Ｔ１min〜Ｔ１max）より高い定着温度（第２定着温度）Ｔ２：
仕様外の用紙に対して、一時的に画像形成が可能であり、従来から一般的な通常の定着温度より高い定着温度。第２定着温度Ｔ２の上限値はＴ２maxである。なおＴ２maxは、画像形成時間や画像形成枚数などの一定の制限された条件のもとで、画像形成装置に不具合が出ない範囲で設定する。ここでいう画像形成装置の不具合とは、定着器の故障(定着ローラのゴムがはがれるなど)、機内温度上昇による現像器のトナーの溶解、各種センサの故障、など修理やメンテナンスを必要とする状況を意味している。
【００４１】
なお、以上のＴ１とＴ２との関係を纏めると、
Ｔ１mini＜Ｔ１＜Ｔ１max＜Ｔ２＜Ｔ２max，
と表現することができる。
【００４２】
また、制御部１０１は、
・一定の条件下で、第２定着温度Ｔ２を設定する，
・一定の条件として、画像形成される前記用紙の枚数若しくは画像形成される時間のいずれかが予め定められた条件を超えた場合に、第２定着温度Ｔ２の設定を解除する，
・定着部１４４内の機内温度が予め定められた所定の値以上である場合には、第２定着温度Ｔ２による定着を開始しない，
・第２定着温度Ｔ２による定着が終了してから、所定時間が経過するまでは、次の第２定着温度Ｔ２による定着を実行しない，
・第２定着温度Ｔ２の設定を受け付ける際に、操作表示部１０５において第２定着温度Ｔ２により生じる可能性のある影響を表示する，
・第２定着温度Ｔ２の定着が終了した後の画像形成の設定を受け付ける際、又は、第２定着温度Ｔ２の定着が終了した後に実行される画像形成の際に、それまで第２定着温度Ｔ２による定着が行われていたことを、操作表示部１０５に表示する，
といった制御を行う。
【００４３】
〔動作〕
以下、図２のフローチャートと、図３以降の画面説明図とを参照して、本実施形態の画像形成装置の動作を説明する。ここでは、仕様外の用紙に対して第２定着温度Ｔ２で定着を行う場合の動作について説明する。
【００４４】
制御部１０１は、待ち受け時には操作表示部１０５に設定画面１０５０Ａ（図３参照）を表示している。仕様外の用紙で画像形成を行おうとするオペレータは、この設定画面１０５０Ａにおいて、用紙設定のキー１０５０ａ１をポインティングデバイス等によりクリックする。
【００４５】
この操作表示部１０５において設定画面１０５０Ａから用紙設定の操作を受けた制御部１０１は、図４の用紙設定についての設定画面１０５０Ｂを操作表示部１０５に表示する。この用紙設定の設定画面１０５０Ｂにより、各トレイ毎に、用紙種類、プロファイル名、用紙サイズ、坪量、色、パンチ穴有無、表裏画像形成位置調整、などの設定が可能である。
【００４６】
図４の設定画面１０５０Ｂの場合には、トレイ１についての設定の例を示している。ここで、用紙種類は、普通紙、上質紙、カラー用紙、塗工紙（塗工紙ＧＬ、塗工紙ＭＬ、塗工紙ＧＯ、塗工紙ＭＯ）、などを選択できる。また、用紙サイズとしては、定型サイズであれば、トレイに載置することで自動検知が可能である。坪量としては、用紙種類に応じて設定できる範囲が定まる。プロセス調整としては、紙種や坪量に応じて、第１定着温度Ｔ１についての温度設定の範囲が定まる。
【００４７】
なお、この実施形態では、仕様外の用紙については通常の定着温度より高温な第２定着温度Ｔ２での定着が可能であり、仕様内の用紙については通常の第１定着温度Ｔ１の定着になる。
【００４８】
そこで、図４の１０５０ｂ１に示す「高温定着モード」の設定項目について、通常の用紙では初期値で「なし」となっているものを、仕様外の用紙の場合には、図４の１０５０ｂ２に示すように「あり」と変更する（図２中のステップＳ１００）。
【００４９】
この設定画面１０５０Ｂにおいて用紙設定が完了した場合には、オペレータは設定画面１０５０Ｂの右下の「ＯＫ」をクリックすることにより、用紙プロファイル名毎に保存され、今後は用紙プロファイル名を参照して取り扱うことが可能になる。
【００５０】
また、設定画面１０５０Ｂにおいて用紙設定が完了した場合には、制御部１０１は、操作表示部１０５の表示を設定画面１０５０Ｂから設定画面１０５０Ａに戻す。
【００５１】
そして、オペレータが、図３の設定画面１０５０Ａの右下の「高温定着モード設定」のキー１０５０ａ２をカーソル１０５０ａ３でクリックすると、制御部１０１は、高温定着モードの設定が「あり」と設定された用紙について、図５に示す高温定着モード設定画面１０５０Ｃを操作表示部１０５の表示画面として表示する。オペレータは、この高温定着モード設定画面１０５０Ｃを介して、第２定着温度Ｔ２の詳細な設定を行う（図２中のステップＳ１０１）。
【００５２】
ここで、オペレータは、高温定着モードの設定として、第２定着温度Ｔ２で定着を行う予定の紙種の選択を行う（図２中のステップＳ１０２、図５の１０５０ｃ１）。
【００５３】
図５の設定画面１０５０Ｃの例では、普通紙と塗工紙とを選択肢として表示しているが、紙種の選択肢として、上質紙／中質紙、塗工紙の塗工種類などを増やしても良い。また、仕様外あるいは想定外の用紙のため、新規紙種の選択肢を設けるようにしてもよい。
【００５４】
この紙種の設定の情報を受けた制御部１０１は、該当する紙種に対応する最大坪量での第１定着温度Ｔ１の上限値Ｔ１maxと、第２定着温度Ｔ２としてＴ１に対して何度上昇させられるかを表示する。なおここでは、第２定着温度Ｔ２の上限値Ｔ２maxと第１定着温度Ｔ１の上限値Ｔ１maxとの差分を、調整範囲として表示している（図５中の１０５０ｃ２）。
【００５５】
なお、図４の高温定着モードの設定項目１０５０ｂ１を設けない場合には、仕様内であって高温定着モードが不要な用紙については、図５の第２定着温度Ｔ２の調整範囲１０５０ｃ２を０℃と表示するようにしてもよい。
【００５６】
オペレータは、この調整範囲を参照して、高温定着モードとして実際に何度上昇させるかを設定する（図２中のステップＳ１０３）。図５の場合には、調整範囲：＋２０℃である場合に、＋１０℃と設定している（図５中の１０５０ｃ３）。
【００５７】
なお、制御部１０１は、高温定着モード設定画面１０５０Ｃにおいて第２定着温度Ｔ２の設定を受け付ける際に、第１定着温度Ｔ１より高い第２定着温度Ｔ２によって生じる可能性のある影響、例えば、画質の低下、光沢むら、用紙カール、高温オフセット（溶融トナーの定着ローラへの付着）、分離不良、などを、オペレータに対して重要事項として表示する（図５中の１０５０ｃ４）。なお、ここで表示する影響としては、重要度に応じて表示を変えても良い。
【００５８】
そして、高温定着モードとして実際に何度上昇させるかを設定したオペレータは、ＯＫボタン（図５中の１０５０ｃ５）を押下して操作を確定する（図２中のステップＳ１０４でＹＥＳ）。なお、設定された温度が調整範囲を超える場合には、制御部１０１は、ＯＫボタンを非アクティブ状態にして、設定された値（図５中の１０５０ｃ３）を０に戻し、オペレータの操作をやり直させる（図２中のステップＳ１０４でＮＯ、ステップＳ１０２）。
【００５９】
ここで、制御部１０１は、第２定着温度Ｔ２が定着上限温度Ｔmachine以上であるかを判断する（図２中のステップＳ１０５）。
【００６０】
第２定着温度Ｔ２が定着上限温度Ｔmachine以上であると（図２中のステップＳ１０５でＹＥＳ）、定着部１４４内の故障などの不具合が発生する場合がある。このため、制御部１０１は、不具合が発生しない範囲の一定の条件として、画像形成される用紙の枚数と画像形成時間について制限された状態の条件を定める（図２中のステップＳ１０６）。例えば、用紙枚数１５０枚以内、または、画像形成５分間のいずれか少ない方を超えると、制御部１０１は、第２定着温Ｔ２を解除するといった厳しい制限とする。
【００６１】
また、第２定着温度Ｔ２が定着上限温度Ｔmachine以上ではない場合（図２中のステップＳ１０５でＮＯ）、定着部１４４内の故障などの不具合が発生する恐れは小さい。但し、通常の第１定着温度Ｔ１よりは高温であるため、制御部１０１は、長時間連続した状態を避けるための一定の条件として、画像形成される用紙の枚数と画像形成時間について緩く制限された状態の条件を定める（図２中のステップＳ１０７）。例えば、用紙枚数５００枚以内、または、画像形成３０分間のいずれか少ない方を超えると、制御部１０１は、第２定着温Ｔ２を解除するといった緩い制限とする。なお、第１定着温度Ｔ１の決定時にマージンを大きく取っているような場合には、ステップＳ１０７の緩い制限として、実際には制限無しとしても良い。
【００６２】
なお、以上のステップＳ１０５ではＴmachineを判断基準としたが、Ｔpagerを判断基準として制限を決定するようにしてもよい。
【００６３】
また、以上の第２定着温度Ｔ２による一定の条件の制限としては、ステップＳ１０３で定めた値に応じて制御部１０１が演算により算出することが望ましい。例えば、Ｔ２≧Ｔmachineの場合であっても、１℃だけ超えた場合と、１０℃超えた場合とでは、定着部１４４に与える影響は異なるため、予想される影響に応じて制限を替えることが望ましい。
【００６４】
このようにして第２定着温度Ｔ２が決定されるに伴って第２定着温度Ｔ２実行時の制限が決定されると、制御部１０１は、その制限の内容を高温定着モード設定画面１０５０Ｄとして制限の内容を表示してオペレータに通知する（図６中の１０５０ｄ１）。
【００６５】
そして、この高温定着モード設定画面１０５０Ｄにおいて、「はい」ボタン（図６中の１０５０ｄ２）を押下することでオペレータは高温定着モードを開始することが出来る（図２中のステップＳ１０８でＹＥＳ）。
【００６６】
なお、この高温定着モード開始時において、制御部１０１は、温度センサの検知結果を参照して、定着部１４４内が正常温度範囲である場合に（図２中のステップＳ１０９でＹＥＳ）、高温定着モードを起動する（図２中のステップＳ１１０）。
【００６７】
すなわち、定着部１４４内が予め定められた所定の値以上の高温である場合には（図２中のステップＳ１０９でＮＯ）、定着部１４４内での熱ストレスの連続した蓄積を防止するため、高温定着モードを実行せずに、定着部１４４内の機内温度が正常範囲に低下するまで待機する。
【００６８】
ここで、操作表示部１０５を介してオペレータにより画像形成ジョブの設定あるいは入力が行われる（図２中のステップＳ１１１）。このとき、制御部１０１は、入力される画像形成ジョブの設定が以上の制限の範囲に収まるか否かを判断する（図２中のステップＳ１１２）。
【００６９】
入力される画像形成ジョブの設定が以上の制限の範囲に収まらない場合（図２中のステップＳ１１２でＮＯ）、制御部１０１は、制限範囲内の部分のみを実行するかを操作表示部１０５の設定画面（図示せず）を介してオペレータに対して問い合わせる（図２中のステップＳ１１３）。
【００７０】
入力される画像形成ジョブの設定が以上の制限の範囲に収まらず（図２中のステップＳ１１２でＮＯ）、制限範囲内の部分のみを実行することにもオペレータが同意しない場合（図２中のステップＳ１１３でＮＯ）、制御部１０１は、ジョブ入力（図２中のステップＳ１１１）に戻る。入力される画像形成ジョブの設定が以上の制限の範囲に収まらない（図２中のステップＳ１１２でＮＯ）が、制限範囲内の部分のみを実行することにオペレータが同意した場合（図２中のステップＳ１１３でＹＥＳ）、制御部１０１は制限範囲内で画像形成枚数の設定を行う（図２中のステップＳ１１４）。
【００７１】
入力される画像形成ジョブの設定が以上の制限の範囲に収まる場合（図２中のステップＳ１１２でＹＥＳ）、あるいは、制限範囲内で画像形成枚数の設定を行う（図２中のステップＳ１１４）場合、制御部１０１は、温度センサの検知結果を参照しつつ熱源を駆動し、定着部１４４内の定着ローラが第２定着温度Ｔ２に達したかを確認する（図２中のステップＳ１１５）。
【００７２】
温度センサの検知結果を参照しつつ熱源を駆動することで、定着部１４４内の定着ローラが第２定着温度Ｔ２に達した場合に、制御部１０１は、入力された画像形成ジョブを実行し、画像処理部１３０での画像処理、画像形成部１４２での画像形成（用紙上へのトナー像の形成）、定着部１４４での定着（用紙上のトナー像の定着）、を実行する（図２中のステップＳ１１６）。
【００７３】
実行したジョブが完了した場合、あるいは、実行中のジョブが画像形成時間などで制限に到達した場合（図２中のステップＳ１１７でＹＥＳ）、制御部１０１は、高温定着モードを終了（第２定着温度Ｔ２の設定を解除）し、定着部１４４内の定着ローラを第１定着温度Ｔ１に戻すよう制御する（図２中のステップＳ１１８）。なお、制御部１０１は、ステップＳ１１２〜Ｓ１１４で制限範囲内に収めるように画像形成を開始しているものの、画像形成時間などが予想より掛かって超過した場合には、このステップＳ１１７が該当する。
【００７４】
なお、この場合は、第２定着温度Ｔ２から第１定着温度Ｔ１によって画像形成を続行してもよいが、オペレータの希望により画像形成そのものを停止するように制御してもよい。
【００７５】
この後、制御部１０１は、定着部１４４の熱によるストレスの影響を軽減するため、あるいは、定着部１４４の熱によるストレスの蓄積を予防するため、高温定着モードを終了してから一定時間が経過するまでは、再び高温定着モードを実行することを禁止する（図２中のステップＳ１１９）。なお、この一定時間としては、第２定着温度Ｔ２に応じて定めることが望ましい。
【００７６】
また、制御部１０１は、第２定着温度Ｔ２の定着が終了した後の画像形成の設定を受け付ける際、又は、第２定着温度Ｔ２の定着が終了した後に実行される画像形成の際に、それまで第２定着温度Ｔ２による高温の定着が行われていたことを、操作表示部１０５の表示画面に参照情報として表示してもよい。この場合には、定着部１４４が通常の第１定着温度Ｔ１よりも高温になっている、あるいは、なっていたことにより、予想される影響を操作表示部１０５の表示画面で告知することも望ましい。
【００７７】
以上の実施形態の画像形成装置では、定着部１４４に対して設定されている通常の第１定着温度Ｔ１の上限を超える第２定着温度Ｔ２を、一定の条件下で実行するため、想定の範囲外の厚み、表面加工状態、塗工状態といった仕様外の用紙が使用される場合に、仕様外の用紙に対しても適切な定着をすることが可能になる。
【００７８】
また、一定の条件として、画像形成される用紙の枚数若しくは画像形成される時間のいずれかが予め定められた条件を超えた場合に、第２定着温度Ｔ２の設定を解除するため、通常の第１定着温度Ｔ１の範囲を超える第２定着温度Ｔ２であっても、装置に悪影響を与えることがなく、安定した動作が可能になる。
【００７９】
また、制御部１０１は、定着部１４４内の機内温度が予め定められた所定の値以上である場合には、第２定着温度Ｔ２による定着を開始しないため、装置各部に悪影響を与えない状況において第２定着温度Ｔ２の動作が可能になる。
【００８０】
また、第２定着温度Ｔ２による定着が終了してから所定時間が経過するまでは、次の第２定着温度Ｔ２による定着を実行しないため、装置各部に悪影響を与えない状況において第２定着温度Ｔ２の動作が可能になる。
【００８１】
また、操作表示部１０５を介して第２定着温度Ｔ２の設定を受け付ける際に、第２定着温度Ｔ２により生じる影響を表示するため、予想される影響をオペレータに対して告知した状態で第２定着温度Ｔ２の動作が可能になる。
【００８２】
また、第２定着温度Ｔ２の定着が終了した後の画像形成の設定を受け付ける際、又は、第２定着温度Ｔ２の定着が終了した後に実行される画像形成の際に、それまで第２定着温度Ｔ２による定着が行われていたことを表示するため、予想される影響をオペレータに対して告知した状態で第２定着温度Ｔ２の動作が可能になる。
【００８３】
〔その他の実施形態〕
なお、図１では画像形成装置１００として通常の定着部１４４を想定して説明したが、これに限定されず、第１定着部と第２定着部との２つの定着部を備える構成の場合にも、本実施形態を適用することが可能である。
【００８４】
また、画像形成装置１００に対して外付けの定着器による画像形成システムにおいても、本実施形態を適用することが可能である。
【００８５】
また、画像形成装置としては、モノクロ画像形成装置、カラー画像形成装置のいずれであっても、本実施形態を適用することが可能である。
【符号の説明】
【００８６】
１００  画像形成装置
１０１  制御部
１１０  記憶部
１２０  スキャナ
１３０  画像処理部
１４０  プリントエンジン
１４２  画像形成部
１４４  定着部
【図１】
0005983002.tif 000002
【図２】
0005983002.tif 000003
【図３】
0005983002.tif 000004
【図４】
0005983002.tif 000005
【図５】
0005983002.tif 000006
【図６】
0005983002.tif 000007